【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
ノズルが形成されたノズル面、前記ノズルに連通する圧力室、および、当該圧力室内に圧力変動を生じさせる圧力発生手段を有し、当該圧力発生手段を駆動させて圧力室に圧力変動を生じさせることで、ノズルから液体を噴射させる液体噴射ヘッドと、
当該液体噴射ヘッドが複数取り付けられる支持部材と、
を備えた液体噴射ヘッドユニットであって、
前記支持部材は、取り付けられる液体噴射ヘッドのノズル面に対して垂直な取付面を有し、
前記液体噴射ヘッドは、
前記圧力発生手段の少なくとも一部を収容したヘッドケースと、
該ヘッドケースよりも剛性が高いヘッド固定部材と、
を備え、
前記ヘッド固定部材は、前記ヘッドケースにおける前記支持部材の取付面と対向する側の面に、前記ノズルとの相対位置が規定された状態で固定され、
該ヘッド固定部材を前記支持部材の取付面側に押し当てて固定することで、前記液体噴射ヘッドを前記支持部材に取り付けたことを特徴とする液体噴射ヘッドユニット。
【請求項２】
前記ヘッド固定部材は、前記支持部材側の面に嵌合部を備え、
前記支持部材は、前記取付面に嵌合受部を備え、
前記嵌合部を前記嵌合受部に嵌合させて前記ヘッド固定部材を前記支持部材に固定したことを特徴とする請求項１に記載の液体噴射ヘッドユニット。
【請求項３】
前記嵌合受部は、前記ノズル面側に開口し、前記ノズル面側とは反対側に開口していないことを特徴とする請求項１または請求項２に記載の液体噴射ヘッドユニット。
【請求項４】
前記ヘッド固定部材は、前記取付面に平行な方向において、前記ヘッドケースから突出する部分に、前記支持部材と固定されるための第１の貫通穴を有することを特徴とする請求項１ないし請求項３のいずれか一項に記載の液体噴射ヘッドユニット。
【請求項５】
前記ヘッド固定部材は、前記取付面に垂直な方向の板厚が厚い部分と薄い部分とを有し、かつ、
前記ヘッド固定部材は、前記液体噴射ヘッドと固定されるための第２の貫通穴を有し、
前記第１の貫通穴と前記第２の貫通穴とは、前記薄い部分に設けられ、
前記ヘッド固定部材のうち前記嵌合受部の面と当接する面は、前記厚い部分に設けられることを特徴とする請求項４に記載の液体噴射ヘッドユニット。
【請求項６】
請求項１ないし請求項５のいずれか一項に記載の液体噴射ヘッドユニットを備えたことを特徴とする液体噴射装置。
【請求項７】
ノズルが形成されたノズル面、前記ノズルに連通する圧力室、当該圧力室内に圧力変動を生じさせる圧力発生手段、および、当該圧力発生手段の少なくとも一部を収容したヘッドケースを備えた記録ヘッド本体と、前記ヘッドケースよりも剛性が高いヘッド固定部材と、を有し、前記圧力発生手段を駆動させて圧力室に圧力変動を生じさせることで、ノズルから液体を噴射させる液体噴射ヘッドと、
前記液体噴射ヘッドが取り付けられ、当該取り付けられる液体噴射ヘッドのノズル面に対して垂直な取付面を有する支持部材と、を備えた液体噴射ヘッドユニットの製造方法であって、
前記ヘッド固定部材と前記ノズルとの相対位置が規定された状態で、前記ヘッド本体と前記ヘッド固定部材とを固定する第１工程と、
前記記録ヘッド本体が固定された前記ヘッド固定部材の前記取付面と対向する側の面を、当該取付面に当接させた状態で、前記ヘッド固定部材と前記支持部材とを固定する第２工程と、を含むことを特徴とする液体噴射ヘッドユニットの製造方法。
【手続補正２】
【補正対象書類名】明細書
【補正対象項目名】００１０
【補正方法】変更
【補正の内容】
【００１０】
この構成によれば、ノズル面方向における液体噴射ヘッドの位置決め精度を高めることができる。
また、上記各構成において、前記嵌合受部は、前記ノズル面側に開口し、前記ノズル面側とは反対側に開口していないことが望ましい。
さらに、上記各構成において、前記ヘッド固定部材は、前記取付面に平行な方向において、前記ヘッドケースから突出する部分に、前記支持部材と固定されるための第１の貫通穴を有することが望ましい。
また、上記構成において、前記ヘッド固定部材は、前記取付面に垂直な方向の板厚が厚い部分と薄い部分とを有し、かつ、
前記ヘッド固定部材は、前記液体噴射ヘッドと固定されるための第２の貫通穴を有し、
前記第１の貫通穴と前記第２の貫通穴とは、前記薄い部分に設けられ、
前記ヘッド固定部材のうち前記嵌合受部の面と当接する面は、前記厚い部分に設けられることが望ましい。
【手続補正３】
【補正対象書類名】明細書
【補正対象項目名】００１１
【補正方法】変更
【補正の内容】
【００１１】
そして、本発明の液体噴射装置は、上記各構成の液体噴射ヘッドユニットを備えたことを特徴とする。
また、本発明の液体噴射ヘッドユニットの製造方法は、ノズルが形成されたノズル面、前記ノズルに連通する圧力室、当該圧力室内に圧力変動を生じさせる圧力発生手段、および、当該圧力発生手段の少なくとも一部を収容したヘッドケースを備えた記録ヘッド本体と、前記ヘッドケースよりも剛性が高いヘッド固定部材と、を有し、前記圧力発生手段を駆動させて圧力室に圧力変動を生じさせることで、ノズルから液体を噴射させる液体噴射ヘッドと、
前記液体噴射ヘッドが取り付けられ、当該取り付けられる液体噴射ヘッドのノズル面に対して垂直な取付面を有する支持部材と、を備えた液体噴射ヘッドユニットの製造方法であって、
前記ヘッド固定部材と前記ノズルとの相対位置が規定された状態で、前記ヘッド本体と前記ヘッド固定部材とを固定する第１工程と、
前記記録ヘッド本体が固定された前記ヘッド固定部材の前記取付面と対向する側の面を、当該取付面に当接させた状態で、前記ヘッド固定部材と前記支持部材とを固定する第２工程と、を含むことを特徴とする。
【手続補正４】
【補正対象書類名】明細書
【補正対象項目名】００３２
【補正方法】変更
【補正の内容】
【００３２】
ヘッド固定部材３３は、ヘッドケース３７よりも剛性が高い、例えば、ＳＵＳ等の金属からなる薄い板状の部材であり、ヘッドケース３７におけるベースプレート２４の取付面２７と対向する側の面に、ノズル４８との相対位置が規定された状態で固定されている。このヘッド固定部材３３の寸法に関し、ノズル列４９方向における寸法が、ヘッドケース３７の同方向の寸法よりも長く、かつ、ノズル面５０に垂直な方向における寸法（高さ）が、ヘッドケース３７の同方向の寸法（高さ）よりも短く（低く）形成されている。そして、ヘッド固定部材３３は、その上面を記録ヘッド本体３２の上面に揃えると共に、ノズル面５０のノズル４８（位置決めの基準となるノズル）に対してノズル列方向の相対位置が規定された状態で当該ヘッドケース３７に取り付けられている。そして、ヘッドケース３７に取り付けられた状態では、ヘッド固定部材３３のノズル列４９方向における両端部が、ヘッドケース３７（記録ヘッド本体３２）よりも外側に突出する。なお、ヘッド固定部材３３には、ヘッドケース３７のヘッド固定部材取付用ねじ穴４０に対応する第１の固定用ねじ穴６１（本発明における第２の貫通穴に相当）が板厚方向に貫通している。また、ヘッド固定部材３３のヘッドケース３７から外側に突出した部分には、ベースプレート２４の記録ヘッド取付用ねじ穴２９に対応する第２の固定用ねじ穴６２（本発明における第１の貫通穴に相当）が板厚方向に貫通している。
【手続補正５】
【補正対象書類名】明細書
【補正対象項目名】００３４
【補正方法】変更
【補正の内容】
【００３４】
次に、上記構成の記録ヘッドユニット２の製造方法について説明する。
まず、ヘッド固定部材３３の嵌合凸部６３とは反対側の面を、記録ヘッド本体３２（ヘッドケース３７）におけるベースプレート２４の取付面２７と対向する側の面に押し当てるとともに、ヘッド固定部材取付用ねじ穴４０と第１の固定用ねじ穴６１の位置を合わせてねじで仮固定する。この状態で、治具等を用いて、ヘッド固定部材３３と記録ヘッド本体３２のノズル４８との相対位置を合わせる。例えば、カメラ等を用いて、ノズル列４９の両端に位置するノズル４８（基準ノズル）と、ヘッド固定部材３３の端部（あるいは、ヘッド固定部材３３に予め設けたアライメントマーク）との相対位置をみて、お互いの位置を合わせながらねじを締めて本固定する（第１工程）。これにより、ヘッド固定部材３３とノズル４８との相対位置が規定された記録ヘッド７が作成される。
【手続補正６】
【補正対象書類名】明細書
【補正対象項目名】００３５
【補正方法】変更
【補正の内容】
【００３５】
次に、図７に示すように、上記のように作成した記録ヘッド７のヘッド固定部材３３側をベースプレート２４の取付面２７側に近づけて、嵌合凸部６３と嵌合凹部２８を嵌合させると共に、ヘッド固定部材３３をベースプレート２４の取付面２７側に押し当てる。この状態で、第２の固定用ねじ穴６２を介して記録ヘッド取付用ねじ穴２９にねじを螺合して、記録ヘッド７をベースプレート２４に取り付ける（第２工程）。このとき、嵌合凸部６３と嵌合凹部２８が嵌合しているため、ベースプレート２４に対する記録ヘッド７のノズル面５０方向の位置を規定することができる。
なお、ヘッド固定部材３３の嵌合凸部６３よりも外側の肉薄部分を、取付面２７の嵌合凹部２８の縁に当接させて、ベースプレート２４に対する記録ヘッド７の位置を規定しても良い。また、本実施形態では、ベースプレート２４およびヘッド固定部材３３をＳＵＳ等からなる金属製の部材、すなわち、剛性の高い部材で作成したので、両部材の変形を抑制でき、嵌合凸部６３と嵌合凹部２８を嵌合してヘッド固定部材３３をベースプレート２４の取付面２７側に押し当てるだけで、正確な位置合わせが可能になる。